(57)【要約】【課題】含有水素量の多い又は少ない電解アルカリ性水を選択的に取り出すことができるようにする。【解決手段】コロイド状水素を含有する電解アルカリ性水を生成する電解水生成装置２と、電解水生成装置２から供給される電解アルカリ性水を貯えるタンク３と、タンク３の貯留域４の上部４ａ及び下部４ｂの各々から電解アルカリ性水を個別的に取り出す取出路５，６と備えたこと。【効果】タンク３の貯留域上部４ａから取り出した電解アルカリ性水Ｂａは、コロイド状水素の含有量が多いために含有水素量の多いものとなり、逆に、タンク３の貯留域下部４ｂから取り出した電解アルカリ性水Ｂｂは、コロイド状水素の含有量の少ないか又は皆無となるために、電解アルカリ性水Ｂａに比べ含有水素量の少ないものとなる。【選択図】　図１
2004081991.tif 000002
【特許請求の範囲】
【請求項１】
電解水生成装置で生成したコロイド状水素を含有する電解アルカリ性水をタンクに貯え、貯えた貯留域の上部にコロイド状水素の含有量が多い電解アルカリ性水を位置させると共に、その下部にコロイド状水素の含有量が上部に位置するものに比べて少ないか又は皆無の電解アルカリ性水を位置させて、上部及び／又は下部の電解アルカリ性水を個別的に取り出すことを特徴とする電解アルカリ性水の取出し方法。
【請求項２】
電解水生成装置で生成したコロイド状水素を含有する電解アルカリ性水をポンプで圧送することで、コロイド状水素を除去することを特徴とする電解アルカリ性水の取出し方法。
【請求項３】
コロイド状水素を含有する電解アルカリ性水を生成する電解水生成装置と、該電解水生成装置から供給される電解アルカリ性水を貯えるタンクと、該タンクの貯留域の上部及び下部の各々から電解アルカリ性水を個別的に取り出す取出路と備えたことを特徴とする電解アルカリ性水の取出し装置。
【請求項４】
コロイド状水素を含有する電解アルカリ性水を生成する電解水生成装置と、該電解水生成装置から供給される電解アルカリ性水を貯える一次タンクと、該一次タンクの貯留域の上部に取出路を介して接続して、該一次タンクから供給される電解アルカリ性水を貯える二次タンクを備えたことを特徴とする電解アルカリ性水の取出し装置。
【請求項５】
コロイド状水素を含有する電解アルカリ性水を生成する電解水生成装置と、該電解水生成装置から供給される電解アルカリ性水を貯えるタンクを備え、該タンクに、出入路及び該出入路に連通する複数の貯留室を備え、前記電解水生成装置から供給される電解アルカリ性水を該出入路を介して複数の貯留室の各々へ順次分配し、複数の貯留室に貯えた電解アルカリ性水を該出入路を介して貯留室の各々から順次取り出しできることを特徴とする電解アルカリ性水の取出し装置。
【請求項６】
コロイド状水素を含有する電解アルカリ性水を生成する電解水生成装置と、該電解水生成装置から供給される電解アルカリ性水を貯えるタンクと、該タンクの貯留域を攪拌するコロイド状水素分散用攪拌機と、該タンクから電解アルカリ性水を取り出す取出路を備えたことを特徴とする電解アルカリ性水の取出し装置。
【発明の詳細な説明】
【０００１】
【発明の属する技術分野】
本発明は、コロイド状水素を含有する電解アルカリ性水を生成する電解水生成装置から電解アルカリ性水を取り出す取出し方法及び取出し装置に関するものである。
【０００２】
【従来の技術】
電解水生成装置の陰極室において電気分解により発生した水素は、あるものは気泡として放出され、あるものは溶存水素として液中に残り、また、電解電流を高くした場合には、その一部がコロイド状になって液中に多量に残る。陰極室で生成した電解アルカリ性水は、電気分解で発生した水素が溶液中に溶け込むことで溶存水素を含有し、この溶存水素が還元性を示す要因となっている。電解アルカリ性水は、溶存水素及びコロイド状水素として水中に含有するの水素の総量（以下、「含有水素量」という）が多ければ還元力が高くなるので、高い還元力が求められる反応に使用するときには、より含有水素量の多いことが求められ、逆に、低い還元力が求められるときには、含有水素量を少なくする必要がある。なお、生成直後の電解アルカリ性水を使用する場合には、この含有水素量の中に、気泡として存在する水素を含ませることもある。
【０００３】
【発明が解決しようとする課題】
そこで、発明者らは、含有水素量の多い又は少ない電解アルカリ性水を選択的に取り出せることができるように、幾多の試験を繰り返した結果、次の事項を知得して本発明に至った。すなわち、電解電流を高くした場合に液中に残るコロイド状水素は、タンクに貯留したときに電解アルカリ性水の上部に集まって位置し、また、希釈によってコロイド状のない通常の溶存水素の形態に容易に変えるとができる。更に、コロイド状の水素は、ポンプで加圧することで除去できる。
【０００４】
本発明は、含有水素量の多い又は少ない電解アルカリ性水を選択的に取り出す等ができる電解アルカリ性水の取出し方法及び取出し装置を提供せんとするものである。
【０００５】
【課題を解決するための手段】
含有水素量の多い又は少ない電解アルカリ性水を選択的に取り出すことができるようにするために請求項１記載の本発明が採用した手段は、電解水生成装置で生成したコロイド状水素を含有する電解アルカリ性水をタンクに貯え、貯えた貯留域の上部にコロイド状水素の含有量が多い電解アルカリ性水を位置させると共に、その下部にコロイド状水素の含有量が上部に位置するものに比べて少ないか又は皆無の電解アルカリ性水を位置させて、上部及び／又は下部の電解アルカリ性水を個別的に取り出すことを特徴とする電解アルカリ性水の取出し方法である。
【０００６】
請求項１記載の本発明にあっては、タンクの貯留域の上部から電解アルカリ性水を取り出すことによりコロイド状水素の含有量が多い電解アルカリ性水が得られ、タンクの貯留域の下部から電解アルカリ性水を取り出すことによりコロイド状水素の含有量の少ないか又は皆無の電解アルカリ性水が得られる。タンクの貯留域の上部から取り出した電解アルカリ性水は、コロイド状水素の含有量が多いために含有水素量の多いものとなり、逆に、タンクの貯留域の下部から取り出した電解アルカリ性水は、コロイド状水素の含有量の少ないか又は皆無のものとなるため、タンクの貯留域の上部から取り出した電解アルカリ性水に比べ含有水素量の少ないものとなる。
【０００７】
コロイド状水素の残留を無くして含有水素量の安定した電解アルカリ性水を得るために請求項２記載の本発明が採用した手段は、電解水生成装置で生成したコロイド状水素を含有する電解アルカリ性水をポンプで圧送することで、コロイド状水素を除去することを特徴とする電解アルカリ性水の取出し方法である。
【０００８】
請求項２記載の本発明にあっては、電解アルカリ性水をポンプで加圧することで、コロイド状水素が除去されるので、コロイド状水素が非常に少ないか又は皆無である含有水素量の安定した電解アルカリ性水を圧送できる。
【０００９】
含有水素量の多い又は少ない電解アルカリ性水を選択的に取り出すことができるようにするために請求項３記載の本発明が採用した手段は、コロイド状水素を含有する電解アルカリ性水を生成する電解水生成装置と、該電解水生成装置から供給される電解アルカリ性水を貯えるタンクと、該タンクの貯留域の上部及び下部の各々から電解アルカリ性水を個別的に取り出す取出路と備えたことを特徴とする電解アルカリ性水の取出し装置である。
【００１０】
請求項３記載の本発明にあっては、タンクの貯留域の上部から電解アルカリ性水を取出路で取り出すことによりコロイド状水素の含有量が多い電解アルカリ性水が得られ、タンクの貯留域の下部から電解アルカリ性水を取出路で取り出すことによりコロイド状水素の含有量の少ないか又は皆無である電解アルカリ性水が得られる。タンクの貯留域の上部から取り出した電解アルカリ性水は、コロイド状水素の含有量が多いために含有水素量の多いものとなり、逆に、タンクの貯留域の下部から取り出した電解アルカリ性水は、コロイド状水素の含有量の少ないか又は皆無となるために、タンクの貯留域の上部から取り出した電解アルカリ性水に比べ含有水素量の少ないものとなる。
【００１１】
含有水素量の多い電解アルカリ性水を貯えるために請求項４記載の本発明が採用した手段は、コロイド状水素を含有する電解アルカリ性水を生成する電解水生成装置と、該電解水生成装置から供給される電解アルカリ性水を貯える一次タンクと、該一次タンクの貯留域の上部に取出路を介して接続して、該一次タンクから供給される電解アルカリ性水を貯える二次タンクを備えたことを特徴とする電解アルカリ性水の取出し装置である。
【００１２】
請求項４記載の本発明にあっては、一次タンクの貯留域の上部にコロイド状水素の含有量が多い電解アルカリ性水が集まって位置し、この貯留域の上部に集まったコロイド状水素の含有量の多い電解アルカリ性水を取出路で取り出して二次タンクに貯留することで、二次タンクに含有水素量の多い電解アルカリ性水を貯えることができる。
【００１３】
タンクから電解アルカリ性水を取り出すときの含有水素量の変動する周期を短くするために請求項５記載の本発明が採用した手段は、コロイド状水素を含有する電解アルカリ性水を生成する電解水生成装置と、該電解水生成装置から供給される電解アルカリ性水を貯えるタンクを備え、該タンクに、出入路及び該出入路に連通する複数の貯留室を備え、前記電解水生成装置から供給される電解アルカリ性水を該出入路を介して複数の貯留室の各々へ順次分配し、複数の貯留室に貯えた電解アルカリ性水を該出入路を介して貯留室の各々から順次取り出しできることを特徴とする電解アルカリ性水の取出し装置である。
【００１４】
請求項５記載の本発明にあっては、電解水生成装置からコロイド状水素の含有量の多い電解アルカリ性水をタンクヘ供給すると、タンクの出入路を介して各貯留室へ電解アルカリ性水を順次分配し、供給した後に各貯留室の電解アルカリ性水を出入路を介して順次取り出すことができる。各貯留室に貯えた電解アルカリ性水は、各貯留室の上部にコロイド状水素を多量に含有する含有水素量の多いものが集まって位置し、各貯留室の下部にコロイド状水素の含有量が少なく又は皆無である含有水素量の少ないものが集まって位置する。そのため、各貯留室からタンク外部へ取り出す電解アルカリ性水は、取り出す貯留室が変わる毎に含有水素量が変動するが、貯留室が一個しかないタンクに比べて、その変動する周期を短くできる。
【００１５】
なお、前記請求項５記載の本発明を次のように変更することもある。すなわち、コロイド状水素を含有する電解アルカリ性水を生成する電解水生成装置と、該電解水生成装置から供給される電解アルカリ性水を貯えるタンクを備え、該タンクに、上下方向へ延びる出入路及び上下方向に沿って設けて該出入路に連通する複数の貯留室を備え、前記電解水生成装置から供給される電解アルカリ性水を該出入路を介して下方の貯留室から上方の貯留室へ順次分配し、複数の貯留室に貯えた電解アルカリ性水を該出入路を介して上方の貯留室から下方の貯留室へ順次取り出しできる電解アルカリ性水の取出し装置である。
【００１６】
含有水素量の安定した電解アルカリ性水を取り出すことができるようにするために請求項６記載の本発明が採用した手段は、コロイド状水素を含有する電解アルカリ性水を生成する電解水生成装置と、該電解水生成装置から供給される電解アルカリ性水を貯えるタンクと、該タンクの貯留域を攪拌するコロイド状水素分散用攪拌機と、該タンクから電解アルカリ性水を取り出す取出路を備えたことを特徴とする電解アルカリ性水の取出し装置である。
【００１７】
請求項６記載の本発明にあっては、電解水生成装置から供給されてタンクに貯えた電解アルカリ性水をコロイド状水素分散用攪拌機で攪拌して、貯えられている電解アルカリ性水の全体にコロイド状水素を分散するので、含有水素量の安定した電解アルカリ性水をタンクから取り出すことができる。
【００１８】
【発明の実施の形態】
以下、本発明に係る電解アルカリ性水の取出し方法及び取出し装置を図面に示す実施の形態に基づいて説明する。
【００１９】
（第１の実施の形態）
図１は本発明に係る電解アルカリ性水の取出し方法及び取出し装置の第１の実施の形態を示す概略構成図である。本実施の形態の電解アルカリ性水の取出し装置１は、コロイド状水素を含有する電解アルカリ性水を生成する電解水生成装置２と、電解水生成装置２から供給される電解アルカリ性水Ｂを貯えるタンク３と、このタンク３の貯留域４の上部４ａ及び下部４ｂの各々から電解アルカリ性水を個別的に取り出す取出路５，６を備えている。
【００２０】
前記電解水生成装置２は、電解槽７、電導水の供給装置８及び制御部（図示略）を備えている。電解槽７は、イオン透過性隔膜９で分域して陰電極１０を挿入した陰極室１１と陽電極１２を挿入した陽極室１３とからなり、両電極１０，１２間に直流電圧を印加して、供給装置８から陰陽両室１１，１３へ供給した電導水Ａを電気分解するものである。両電極１０，１２間に印加する直流電圧は、制御部を介して適宜調節することができ、陰極室１１で生成してタンク３へ供給する電解アルカリ性水Ｂにコロイド状水素を含有させて所定のｐＨおよびＯＲＰ（酸化還元電位）になるように設定される。上記供給装置８は、電導水Ａの電気伝導度をほぼ一定に保持しつつ設定した流量で電解槽７へ供給して、陰極室１１で生成する電解アルカリ性水ＢのｐＨおよびＯＲＰを安定させるようになっている。電解水生成装置２は、電解槽７の陽極室１３から導水路１８が延設され、陽極室１３で生成した電解酸性水Ｃを取り出すことができるようになっている。
【００２１】
前記タンク３は、その内部に電解アルカリ性水を貯える貯留域４が形成され、貯留域４の下部４ｂと電解水生成装置２の陰極室１１を導水路１５で連通すると共に、貯留域上部４ａに上部用取出路５の流入口５ａを開口し、貯留域下部４ｂに下部用取出路６の流入口６ａを開口してある。陰極室１１で生成したコロイド状水素を含有する電解アルカリ性水Ｂは、導水路１５を介してタンク３へ供給されて貯留域４に一旦貯えられる。貯留域４に貯えた電解アルカリ性水Ｂは、その一部が貯留域上部４ａから上部用取出路５を介してタンク外部へ取り出され、残部が貯留域下部４ｂから下部用取出路６を介してタンク外部へ取り出される。取出路５，６の各々は、取り出し量を調節する開閉弁１６，１７　が設けられ、タンク貯留域４の上部４ａ及び下部４ｂから取り出す流量の割合を調節できるようにしてある。タンク３の貯留域４の大きさは、電解水生成装置２から供給される電解アルカリ性水Ｂの流量に滞留時間を乗じて得た容量より大きくし、所定の滞留時間（例えば、５分間）を確保してある。
【００２２】
前記タンク３の貯留域４に貯えた電解アルカリ性水Ｂは、貯留域上部４ａにコロイド状水素が集まって位置し、貯留域下部４ｂへ向かって行く程にコロイド状水素が少なくなって、貯留域下部４ｂではコロイド状水素が微少又は皆無となる。なお、貯留域上部４ａ及び貯留域下部４ｂの各範囲は、電解水生成装置２のコロイド状水素を含有する電解アルカリ性水Ｂを生成する能力やタンク３の大きさにより異なるが、例えば、貯留域４の直径が７０〜１００ｍｍで貯留域４の高さが４００〜５００ｍｍの場合には、貯留域上部４ａは水面４ｃから水深が２０〜４０ｍｍまでの範囲であり、貯留域下部４ｂは底面４ｄより２０〜４０ｍｍ上方の位置から底面４ｄまでの範囲となる。
【００２３】
前記タンク３の上部用取出路５は、その流入口５ａを所定高さ位置に固定する場合と、タンク貯留域４の水面４ｃが昇降するのと連動して流入口５ａを昇降させるようにする場合とがある。流入口５ａを昇降させる場合には、図示は省略したが、例えば、流入口側を可撓性管で形成すると共に昇降自在な流入口５ａ付近にフロートを取着することで、昇降する水面４ｃ下に流入口５ａを常に位置して、流入口５ａへ電解アルカリ性水を流入させることができる状態にする。このように、上部用取出路５の流入口５ａの位置をタンク貯留域４の水面４ｃと連動して降下させるように構成したときには、開閉弁１６，１７を調節して電解アルカリ性水Ｂａ，Ｂｂを一定の割合で混合してＯＲＰを一定に保持しつつ使用することが可能となり、貯留域４に貯えた電解アルカリ性水Ｂａ，Ｂｂを多量に使用できるようになる。
【００２４】
次に、前記電解アルカリ性水の取出し装置１を用いた電解アルカリ性水の取出し方法を説明する。この取り出し方法は、含有水素量の多い又は少ない電解アルカリ性水を選択的に取り出すことができるようにするためのものであり、電解水生成装置２で生成したコロイド状水素を含有する電解アルカリ性水Ｂをタンク３に一旦貯え、貯えた貯留域４の上部４ａにコロイド状水素の含有量が多い電解アルカリ性水を自然に集めて位置させると共に、その下部４ｂにコロイド状水素の含有量の少ないか又は皆無の電解アルカリ性水を位置させて、これら両方の電解アルカリ性水Ｂａ，Ｂｂを取出路５，６で個別的に取り出す。このようにして、タンク貯留域４の上部４ａから上部用取出路５で取り出すことによりコロイド状水素の含有量が多くて含有水素量の多い電解アルカリ性水Ｂａが得られ、逆に、タンク貯留域４の下部４ａから下部用取出路６で取り出すことによりコロイド状水素の含有量が少ないか又は皆無である含有水素量の少ない電解アルカリ性水Ｂｂが得られる。なお、タンク貯留域４から電解アルカリ性水Ｂａ，Ｂｂを取り出すには、上部用取出路５及び下部用取出路６の両方で同時に行う場合と、用途に応じて何れか一方のみとする場合がある。
【００２５】
前記上部用取出路５で取り出した電解アルカリ性水Ｂａは、コロイド状水素の含有量が多いことから含有水素量が多くてＯＲＰの低いものとなり、逆に、下部用取出路６で取り出した電解アルカリ性水Ｂｂは、コロイド状水素の含有量が少なくか又は皆無であるため、上部用取出路５で取り出したものに比べ含有水素量が少なくてＯＲＰの高いものとなる。一例として、上部用取出路５で取り出した電解アルカリ性水Ｂａは、ｐＨ１０．１〜１０．２で且つＯＲＰは−７３０〜−７００ｍＶであるに対して、下部用取出路６で取り出した電解アルカリ性水Ｂｂは、ｐＨ１０．１〜１０．２で且つＯＲＰは０〜＋４０ｍＶである。
【００２６】
（第２の実施の形態）
図２は本発明に係る電解アルカリ性水の取出し装置の第２の実施の形態を示す概略構成図である。本実施の形態に係る取出し装置２１が前記第１の実施の形態に係る取出し装置１（図１参照）と大きく相違するところは、タンクとして一次タンク３と二次タンク２３を備え、一次タンク３の貯留域上部４ａに取出路５を介して二次タンク２３を接続した点である。この相違点以外の構成は、前記取出し装置１と実質的に同一であり、同一の符号は同一の構成部材等を示している。
【００２７】
前記二次タンク２３は、一次タンク３の貯留域上部４ａに集まっているコロイド状水素の含有量が多い電解アルカリ性水Ｂａを取出路５で導いて、内部の貯留域に貯えるようになっている。二次タンク２３は、その貯留域下部又は底部から開閉弁２６付きの取出路２５が延設され、コロイド状水素の含有量が多い電解アルカリ性水Ｂａを任意の時間帯に取り出せるようにしてある。
【００２８】
（第３の実施の形態）
図３は本発明に係る電解アルカリ性水の取出し装置の第３の実施の形態を示す概略構成図である。本実施の形態に係る取出し装置３１が前記第１の実施の形態に係る取出し装置１（図１参照）と大きく相違するところは、電解水生成装置２から供給される電解アルカリ性水を貯えるタンク３３の構造である。この相違点以外の構成は、前記取出し装置１と実質的に同一であり、同一の符号は同一の構成部材等を示している。
【００２９】
図１に示す前記第１の実施の形態のタンク３の貯留域４に貯えた電解アルカリ性水Ｂの全て又は多くについて含有水素量を一定に保持しつつ使用できるようにするためには、前述の如く上部用取出路５の流入口５ａの位置をタンク貯留域４の水面４ｃと連動して昇降させるように構成すると共に、二つの開閉弁１６，１７の開度を調節する必要があるため、不便なときがある。そこで、本実施の形態は、タンク３３の貯留域３３ａに貯えた電解アルカリ性水を取り出すときに、含有水素量の変動する周期を短くできるようにしようとするものである。
【００３０】
前記タンク３３は、出入路３４及び出入路３４に連通する複数の貯留室３５を備え、電解水生成装置２から供給される電解アルカリ性水を出入路３４を介して複数の貯留室３５の各々へ順次分配し、複数の貯留室３５に貯えた電解アルカリ性水を出入路３４を介して貯留室の各々から順次取り出しできるようにしてある。本実施の形態のタンク３３は、その内部に、上下方向へ延びる出入路３４及び上下方向に沿って設けて該出入路３４に連通する複数の貯留室３５を備え、電解水生成装置２から供給される電解アルカリ性水を出入路３４を介して下方の貯留室３５から上方の貯留室３５へ順次分配できるようにすると共に、複数の貯留室３５に貯た電解アルカリ性水を出入路３４を介して上方の貯留室３５から下方の貯留室３５へ順次取り出しできるようにしてある。タンク３３は、電解水生成装置２から延設した導水路１５の流出口１５ｂを出入路３４の下部に通じるようにして開口して、電解水生成装置２の陰極室１１で生成したコロイド状水素を含有する電解アルカリ性水Ｂを出入路３４の下部へ導けるようにすると共に、タンク下部又はタンク底部に通じるようにして開閉弁３９付きの取出路３８の流入口３８ａを開口して、複数の貯留室３５に貯えた電解アルカリ性水をタンク外部へ取り出せるようにしてある。
【００３１】
前記タンク３３は、例えば上下の貯留室３５，３５を出入路３４から離れる程に上り傾斜する仕切板３６で区画して、上り傾斜する各貯留室３５の貯留部の上部３５ａとタンク外部とを通気管３７で連通し、各貯留室３５の貯留部の下部３５ｂを介して出入路３４から各貯留部内部の全体に電解アルカリ性水Ｂを出し入れできるようにしてある。傾斜する仕切板３６は、上方に位置する貯留室３５の底面を形成し、下方に位置する貯留室３５の天井面を形成する。通気管３７は、各貯留室３５へ電解アルカリ性水を出し入れするときに、電解アルカリ性水と置換する空気をタンク外部との間で出し入れするためのものである。通気管３７は、給排気口３７ａ−１を開口した集合管３７ａと、集合管３７ａと各貯留室３５の上部３５ａとを連通する分岐管３７ｂとからなる。各分岐管３７ｂは、逆Ｖ字状等のトラップを形成して、各貯留室３５の上部３５ａから電解アルカリ性水Ｂａが抜けでないようにしてある。なお、通気管３７は、その一部又は全部をタンク３３の本体内部に設け、給排気口３７ａ−１をタンク３３の外部に連通させることもある。
【００３２】
前記タンク３３は、前記通気管３７を省略して、図４に示す如く、傾斜する各仕切板３６の上端側に空気抜き弁３２を設けることも可能である。この空気抜き３２は、隣接する上下の貯留室３５，３５を連通するものであって、下方の貯留室３５へ電解アルカリ性水Ｂが浸入するときに加圧される空気を上方の貯留室３５へ逃がすように開弁し、下方の貯留室３５が満水となって上方の貯留室３５に対する電解アルカリ性水Ｂの浸入が開始するときに閉弁するものである。空気抜き３２は、この開弁及び閉弁が自動的に行われるようになっている。
【００３３】
本実施の形態に係る取出し装置３１は、電解水生成装置２の陰極室１１からコロイド状水素の含有量の多い電解アルカリ性水Ｂが導水路１５を介してタンク３３ヘ供給されると、タンク３３の出入路３４を介して各貯留室３５へ電解アルカリ性水Ｂを順次分配して各貯留室３５に貯える。電解アルカリ性水Ｂを満水状態に貯えた各貯留室３５は、上り傾斜した貯留部の上部３５ａに、コロイド状水素の含有量が多くて含有水素量の多い電解アルカリ性水Ｂａが自然に集まって位置し、各貯留室３５の貯留部の下部３５ｂに、コロイド状水素の含有量の少なく又は皆無で含有水素量の少ない電解アルカリ性水Ｂｂが集まって位置する。貯えた電解アルカリ性水は、取出路３８の開閉弁３９を開くことで、上方の貯留室３５から下方の貯留室３５へ向かって、順次取り出すことができる。このように満水状態の各貯留室３５から出入路３４及び取出路３８を介してタンク外部へ取り出される電解アルカリ性水は、取り出す貯留室３５が変わる毎に電解アルカリ性水ＢｂとＢａとが入れ代わって含有水素量が変動するが、複数の貯留室３５のない貯留室が単一のタンクに比べて、含有水素量の変動する周期を短くできるので、還元力の比較的安定した電解アルカリ性水を供給することができる。
【００３４】
（第４の実施の形態）
図５は本発明に係る電解アルカリ性水の取出し装置の第４の実施の形態を示す概略構成図である。本実施の形態に係る取出し装置４１が前記第１の実施の形態に係る取出し装置１（図１参照）と大きく相違するところは、電解水生成装置２から供給される電解アルカリ性水を貯えるタンク４３の構造である。この相違点以外の構成は、前記取出し装置１と実質的に同一であり、同一の符号は同一の構成部材等を示している。
【００３５】
前記タンク４３は、内部の貯留域４３ａを攪拌するコロイド状水素分散用攪拌機４５と、貯留域４３ａの下部又は底部から電解アルカリ性水Ｂを取り出す開閉弁４７付きの取出路４６を備えている。攪拌機４５は、モータ４５ａで回転する回転軸４５ｂの先端に、攪拌羽根４５ｃを取着した回転羽根式等が選択される。
【００３６】
本実施の形態に係る取出し装置４１は、電解水生成装置２の陰極室１１から導水路１５を介して供給される電解アルカリ性水Ｂをタンク４３に貯え、タンク４３に貯えられている電解アルカリ性水Ｂを攪拌機４６で攪拌して、電解アルカリ性水中のコロイド状水素をタンク貯留域４３ａの全体に分散させるので、含有水素量の安定した電解アルカリ性水Ｂをタンク４３から取出路４６を介して取り出して、還元力の安定した電解アルカリ性水Ｂを供給することができる
【００３７】
（第５の実施の形態）
図６は本発明に係る電解アルカリ性水の取出し方法を実施するための取出し装置の第５の実施の形態を示す概略構成図である。本実施の形態に係る取出し装置５１は、電解水生成装置２の陰極室１１で生成されたコロイド状水素を含有する電解アルカリ性水を貯える一次タンク５３と、一次タンク５３に貯えた電解アルカリ性水を取り出すポンプ５６付きの取出路５５と、ポンプ５６で圧送される電解アルカリ性水を貯える二次タンク５７を備えている。二次タンク５７は、その内部の貯留域５７ａの下部又は底部から電解アルカリ性水Ｂｂを取り出すことができるように、開閉弁５９付きの取出路５８を備えている。なお、電解水生成装置２は、前記第１の実施の形態のものと実質的に同一であるため、ここでの説明を省略する。
【００３８】
上記ポンプ５６は、電解アルカリ性水を加圧することで、電解アルカリ性水に含有しているコロイド状水素を除去するものであり、コロイド状水素を除去するに十分な加圧力が得られる渦巻ポンプ又は歯車ポンプ等が用いられる。なお、ポンプ５６で圧送される電解アルカリ性水をそのまま使用するときには、二次タンク５７は省略される。
【００３９】
本実施の形態に係る取出し装置５１を用いることにより、電解水生成装置２で生成したコロイド状水素を含有する電解アルカリ性水をポンプ５６で圧送することで、コロイド状水素を除去してコロイド状水素の無い含有水素量の安定した電解アルカリ性水Ｂｂを得ることができ、還元力の安定した電解アルカリ性水を供給することができる。
【００４０】
【発明の効果】
請求項１記載の本発明に係る電解アルカリ性水の取出し方法は、含有水素量の多い又は少ない電解アルカリ性水を選択的に取り出すことができるので、各種用途に求められる還元力に応じた電解アルカリ性水を供給することができる。
【００４１】
請求項２記載の本発明に係る電解アルカリ性水の取出し方法は、コロイド状水素の無い含有水素量の安定した電解アルカリ性水を得ることができ、還元力の安定した電解アルカリ性水を供給することができる。
【００４２】
請求項３記載の本発明に係る電解アルカリ性水の取出し装置は、含有水素量の多い又は少ない電解アルカリ性水を選択的に取り出すことができるので、各種用途に求められる還元力に応じた電解アルカリ性水を供給することができる。
【００４３】
請求項４記載の本発明に係る電解アルカリ性水の取出し装置は、二次タンクに含有水素量の多い電解アルカリ性水を貯えるので、還元力の高い電解アルカリ性水を供給することができる。
【００４４】
請求項５記載の本発明に係る電解アルカリ性水の取出し装置は、タンクから電解アルカリ性水を取り出すとき、複数の貯留室がないタンクに比べて含有水素量の変動する周期を短くできるので、還元力の比較的安定した電解アルカリ性水を供給することができる。
【００４５】
請求項６記載の本発明に係る電解アルカリ性水の取出し装置は、含有水素量の安定した電解アルカリ性水を取り出すことができるので、還元力の安定した電解アルカリ性水を供給することができる。
【図面の簡単な説明】
【図１】本発明に係る電解アルカリ性水の取出し方法及び取出し装置の第１の実施の形態を示す概略構成図である。
【図２】本発明に係る電解アルカリ性水の取出し装置の第２の実施の形態を示す概略構成図である。
【図３】本発明に係る電解アルカリ性水の取出し装置の第３の実施の形態を示す概略構成図である。
【図４】第３の実施の形態におけるタンクの別態様を示す部分破断した構成図である。
【図５】本発明に係る電解アルカリ性水の取出し装置の第４の実施の形態を示す概略構成図である。
【図６】本発明に係る電解アルカリ性水の取出し方法を実施するための取出し装置の第５の実施の形態を示す概略構成図である。
【符号の説明】
２…電解水生成装置、３（３３，４３）…タンク、４…タンクの貯留域、４ａ…上部、４ｂ…下部、５（６，４６）…取出路、２３…二次タンク、３４…出入路、３５…貯留室、４５…攪拌機，５６…ポンプ
【図１】
2004081991.tif 000003
【図２】
2004081991.tif 000004
【図３】
2004081991.tif 000005
【図４】
2004081991.tif 000006
【図５】
2004081991.tif 000007
【図６】
2004081991.tif 000008